(57)【要約】【課題】部品点数を削減するとともに、液晶モジュールへの取り付け作業および取り外し作業の作業性を向上させることが可能な液晶モジュールの保護フィルムを提供する。【解決手段】液晶表示部５１と額縁部５２とを有する方形状の液晶モジュール５０の少なくとも液晶表示部５１の全面を覆うように形成された保護フィルム１０において、保護フィルム１０は、液晶表示部５１に取り付けた場合に、額縁部５２の外形線よりも全体的に外側に突出するように形成された張出部１２と、張出部１２のうち、額縁部５２の四隅部に対応する位置で、かつ、額縁部５２の四隅部の外形線より外側に所定の距離隔てた位置に設けられる実質的にＬ字状の４つの切欠部１３と、Ｌ字状の４つの切欠部１３の内側で、かつ、額縁部５２の隅部近傍に対向する部分に設けられ、弱粘着性糊が付着された４つの取付部１１とを含む。【選択図】図３
2005062689.tif 000002
【特許請求の範囲】
【請求項１】
液晶表示部と前記液晶表示部の外周に沿って設けられる額縁部とを有する方形状の液晶モジュールの少なくとも前記液晶表示部の全面を覆うように形成された液晶モジュールの保護フィルムにおいて、
前記保護フィルムは、
前記液晶表示部に取り付けた場合に、前記額縁部の外形線よりも全体的に外側に突出するように形成された取り外し時の取り外し代となる張出部と、
前記張出部のうち、前記額縁部の四隅部に対応する位置で、かつ、前記額縁部の四隅部の外形線より外側に所定の距離隔てた位置に設けられ、前記液晶表示部に取り付ける際に、前記額縁部の四隅部に対する位置決めとなる実質的にＬ字状の４つの切欠部と、
前記Ｌ字状の４つの切欠部の内側で、かつ、前記額縁部の隅部近傍に対向する部分に設けられ、弱粘着性糊が付着された４つの取付部とを含む、液晶モジュールの保護フィルム。
【請求項２】
液晶表示部と前記液晶表示部の外周に沿って設けられる額縁部とを有する液晶表示装置の保護フィルムであって、
少なくとも前記液晶表示装置の額縁部の隅部近傍部分に対応する部分に設けられ、前記液晶表示装置の額縁部の外形線よりも外側に突出するように形成された張出部と、
前記張出部の前記額縁部の隅部に対応する位置に設けられ、前記額縁部の隅部に対する位置決めとなる切欠部と、
前記液晶表示装置の額縁部の隅部近傍に対向する部分に設けられ、弱粘着性糊が付着された取付部とを含む、液晶表示装置の保護フィルム。
【請求項３】
前記切欠部は、前記液晶表示装置の額縁部の外形線より外側に所定の距離隔てた位置に設けられている、請求項２に記載の液晶表示装置の保護フィルム。
【請求項４】
前記切欠部は、実質的にＬ字状に形成されている、請求項２または３に記載の液晶表示装置の保護フィルム。
【請求項５】
前記切欠部は、前記液晶表示装置の額縁部の四隅部に対応する位置に４つ形成されている、請求項２〜４のいずれか１項に記載の液晶表示装置の保護フィルム。
【発明の詳細な説明】
【技術分野】
【０００１】
本発明は、液晶モジュールの保護フィルムおよび液晶表示装置の保護フィルムに関し、特に、液晶表示部を覆うように形成された液晶モジュールの保護フィルムおよび液晶表示装置の保護フィルムに関する。
【背景技術】
【０００２】
従来、液晶表示部を覆うように形成された液晶モジュール（液晶表示装置）の保護フィルムが知られている（たとえば、特許文献１および特許文献２参照）。
【０００３】
上記特許文献１には、表示パネルの少なくとも一方の面を保護シートで覆う工程と、このパネルを保護シートで覆った状態で、表示パネルの表示特性を、表示パネルの所定部分に対応して保護シートに設けた第１の孔を通して検査する工程とを含む、表示パネルを備えた従来の第１の例による液晶表示装置の製造方法が開示されている。また、特許文献１の保護シートには、基板の電極端子を露出するための第２の孔も設けられている。
【０００４】
また、上記特許文献２には、シートフィルムを液晶表示画面に仮接着させるための粘着テープの粘着部を一部露出させるためにほぼ中央に形成された２つの丸孔と、丸孔に覆い被さるように取り付けられる長方形の粘着テープとを含む、従来の第２の例による液晶表示部を保護するためのシートフィルム（保護フィルム）が開示されている。
【０００５】
図７は、従来の第３の例による液晶モジュールの保護フィルムと液晶モジュールとを示した斜視図である。図８は、図７に示した従来の保護フィルムを液晶モジュールに取り付けた状態を示した斜視図である。図９は、図８の部分拡大図である。まず、図７〜図９を参照して、従来の第３の例による保護フィルム１０１について説明する。
【０００６】
この従来の保護フィルム１０１は、図７および図８に示すように、液晶表示装置に用いられる部品としての液晶モジュール１５０を完成品メーカに出荷する際、液晶表示部１５１と額縁部１５２とを含む液晶モジュール１５０の液晶表示部１５１を保護するために取り付けられる。なお、液晶モジュール１５０の額縁部１５２の側面には、図７および図９に示すように、複数のねじ／端子取付部１５２ａが設けられている。また、保護フィルム１０１は、液晶モジュール１５０を、部品工場から完成品メーカの液晶表示装置の組立工場に搬送する間だけ使用される。そして、保護フィルム１０１は、液晶表示装置の組立工場内で液晶モジュール１５０から取り外される。また、保護フィルム１０１は、液晶モジュール１５０の方形状の額縁部１５２の外形線に沿った方形状に形成されている。
【０００７】
また、保護フィルム１０１は、弱粘着性の４つのドラフティングテープ１０２によって液晶モジュール１５０に取り付けられている。このように弱粘着性のドラフティングテープ１０２を用いるのは、以下の理由による。すなわち、粘着性のテープを用いると粘着性テープを取り外した後に粘着性糊が額縁部１５２の側面に付着する。一方、弱粘着性のドラフティングテープ１０２を用いると、ドラフティングテープ１０２を取り外した後も弱粘着性糊が額縁部１５２の側面に付着しにくいためである。このドラフティングテープ１０２は、保護フィルム１０１に一部を貼り付けるとともに、残った部分を液晶モジュール１５０の側面に貼り付けることによって、保護フィルム１０１を液晶モジュール１５０に固定している。また、ドラフティングテープ１０２は、図９に示すように、取付部１０２ａと折返部１０２ｂとを含んでいる。取付部１０２ａは、ドラフティングテープ１０２の裏面に付着された弱粘着性糊によって、保護フィルム１０１を液晶モジュール１５０に取り付ける部分である。また、折返部１０２ｂは、ドラフティングテープ１０２の端部から
所定の距離を隔てた位置を折り返してドラフティングテープ１０２の裏面に貼り付けることにより形成されている。この折返部１０２ｂは、保護フィルム１０１を液晶モジュール１５０から取り外す際に、この部分を把持して容易にドラフティングテープ１０２を剥がすことができるようにするために設けられている。
【特許文献１】特開２００３−５０５５０号公報
【特許文献２】特開２００２−２９７０４１号公報
【発明の開示】
【発明が解決しようとする課題】
【０００８】
図７に示した従来の保護フィルム１０１は、弱粘着性の４つのドラフティングテープ１０２を用いて液晶モジュール１５０に取り付けられているため、ドラフティングテープ１０２が必要な分、出荷時の部品点数が増加するという問題点があった。また、保護フィルム１０１を液晶モジュール１５０に取り付ける際には、ドラフティングテープ１０２を４つ分適当な長さに切り取って保護フィルム１０１に貼り付け、さらに、ドラフティングテープ１０２を貼り付けた保護フィルム１０１を液晶モジュール１５０に取り付けた後、４つのドラフティングテープ１０２にそれぞれ折返部１０２ｂを形成するという作業を行っていた。このため、保護フィルム１０１を液晶モジュール１５０に取り付ける際の作業時間が長くなり、その結果、液晶モジュール１５０に取り付ける際に必要な工数が増加するという問題点があった。
【０００９】
また、上記特許文献１に開示された保護シートでは、表示パネルを検査するための第１の孔および電極端子を露出するための第２の孔を設けている一方、位置決め用の孔などは設けられていない。このため、保護シートを表示パネルに貼り付ける際の位置決め作業が煩雑であるという問題点がある。
【００１０】
また、上記特許文献２に開示されたシートフィルムでは、貼付け部分が中央にあるので、液晶表示画面の外形線に対してシートフィルムの外形線を位置決めした状態で取り付けにくいという問題点がある。また、シートフィルムを液晶表示画面に取り付けるために、粘着テープを用いているので、図７に示した従来の保護フィルム１０１と同様、部品点数が増加するという問題点もある。
【００１１】
この発明は、上記のような課題を解決するためになされたものであり、部品点数を削減するとともに、液晶モジュール（液晶表示装置）への取り付け作業および取り外し作業の作業性を向上させることが可能な液晶モジュール（液晶表示装置）の保護フィルムを提供することを目的とする。  
【課題を解決するための手段】
【００１２】
上記目的を達成するために、この発明の第１の局面における液晶モジュールの保護フィルムでは、液晶表示部と液晶表示部の外周に沿って設けられる額縁部とを有する方形状の液晶モジュールの少なくとも液晶表示部の全面を覆うように形成された液晶モジュールの保護フィルムにおいて、保護フィルムは、液晶表示部に取り付けた場合に、額縁部の外形線よりも全体的に外側に突出するように形成された取り外し時の取り外し代となる張出部と、張出部のうち、額縁部の四隅部に対応する位置で、かつ、額縁部の四隅部の外形線より外側に所定の距離隔てた位置に設けられ、液晶表示部に取り付ける際に、額縁部の四隅部に対する位置決めとなる実質的にＬ字状の４つの切欠部と、Ｌ字状の４つの切欠部の内側で、かつ、額縁部の隅部近傍に対向する部分に設けられ、弱粘着性糊が付着された４つの取付部とを含む。
【発明の効果】
【００１３】
この発明の第１の局面における液晶モジュールの保護フィルムでは、上記のように、額縁部の外形線よりも外側に突出するように形成された取り外し時の取り外し代となる張出
部を設けることによって、液晶モジュールに取り付けられた保護フィルムを液晶モジュールから取り外す際に、張出部を把持して容易に保護フィルムを取り外すことができる。これにより、張出部がない場合と比較して、保護フィルムを液晶モジュールから取り外す際の作業性を向上させることができる。また、張出部の額縁部の四隅部に対応する位置に額縁部の四隅部に対する位置決めとなるＬ字状の４つの切欠部を設けることによって、保護フィルムを液晶モジュールに取り付ける際に、Ｌ字状の４つの切欠部を位置決め基準として容易に保護フィルムを液晶モジュールに取り付けることができる。これにより、保護フィルムを液晶モジュールに取り付ける際の作業性を向上させることができる。また、４つの切欠部を、方形状の液晶モジュールの額縁部の四隅部に対応する位置に形成することによって、保護フィルムを液晶モジュールに取り付ける際に、保護フィルムの上下左右方向の位置を液晶モジュールに対する正規の取り付け位置に容易に合わせることができる。これによっても、保護フィルムを液晶モジュールに取り付ける際の作業性を向上させることができる。また、Ｌ字状の４つの切欠部が設けられた保護フィルムの額縁部の隅部近傍に対向する部分に、弱粘着性糊が付着された４つの取付部を設けることによって、ドラフティングテープなどを使用して保護フィルムを液晶モジュールに取り付ける場合と比較して、ドラフティングテープなどを切り取って保護フィルムに取り付ける作業がなくなる分、保護フィルムを液晶モジュールに取り付ける際の作業性を向上させることができる。また、弱粘着性であるため、保護フィルムを液晶モジュールから取り外す際には、糊の粘着性成分が額縁部に残ることがないようにすることができる。また、保護フィルムに、弱粘着性糊が付着された４つの取付部を設けることによって、液晶モジュールの液晶表示部を保護するための機能と、液晶モジュールに保護フィルムを取り付けるための機能とを１つの部材により得ることができるので、ドラフティングテープなどを使用して保護フィルムを液晶モジュールに取り付ける場合と比較して、部品点数を削減することができる。
【００１４】
また、第１の局面では、Ｌ字状の４つ切欠部を、額縁部の四隅部の外形線より外側に所定の距離隔てた位置に設けることによって、額縁部の四隅部に対する４つの切欠部の位置決め時の許容量を大きくすることができるので、保護フィルムを液晶モジュールに取り付ける際の作業性を向上させることができる。
【００１５】
また、第１の局面では、切欠部を、実質的にＬ字状に形成することによって、保護フィルムを液晶モジュールに取り付ける際に、Ｌ字状の切欠部の２つの辺を額縁部の隅部の２つの辺に合わせながらより容易に取り付けることができる。これにより、保護フィルムを液晶モジュールに取り付ける際の作業性を向上させることができる。
【００１６】
この発明の第２の局面における液晶表示装置の保護フィルムでは、液晶表示部と液晶表示部の外周に沿って設けられる額縁部とを有する液晶表示装置の保護フィルムであって、少なくとも液晶表示装置の額縁部の隅部近傍部分に対応する部分に設けられ、液晶表示装置の額縁部の外形線よりも外側に突出するように形成された張出部と、張出部の額縁部の隅部に対応する位置に設けられ、額縁部の隅部に対する位置決めとなる切欠部と、液晶表示装置の額縁部の隅部近傍に対向する部分に設けられ、弱粘着性糊が付着された取付部とを含む。
【００１７】
この発明の第２の局面における液晶表示装置の保護フィルムでは、上記のように、額縁部の外形線よりも外側に突出するように形成された張出部を設けることによって、液晶表示装置に取り付けられた保護フィルムを液晶表示装置から取り外す際に、張出部を把持して容易に保護フィルムを取り外すことができる。これにより、張出部がない場合と比較して、保護フィルムを液晶表示装置から取り外す際の作業性を向上させることができる。また、張出部の額縁部の隅部に対応する位置に額縁部の隅部に対する位置決めとなる切欠部を設けることによって、保護フィルムを液晶表示装置に取り付ける際に、切欠部を位置決め基準として容易に保護フィルムを液晶表示装置に取り付けることができる。これにより
、保護フィルムを液晶表示装置に取り付ける際の作業性を向上させることができる。また、切欠部が設けられた保護フィルムの額縁部の隅部近傍に対向する部分に、弱粘着性糊が付着された取付部を設けることによって、ドラフティングテープなどを使用して保護フィルムを液晶表示装置に取り付ける場合と比較して、ドラフティングテープなどを切り取って保護フィルムに取り付ける作業がなくなる分、保護フィルムを液晶表示装置に取り付ける際の作業性を向上させることができる。また、弱粘着性であるため、保護フィルムを液晶表示装置から取り外す際には、糊の粘着性成分が額縁部に残ることがないようにすることができる。また、保護フィルムに、弱粘着性糊が付着された取付部を設けることによって、液晶表示装置の液晶表示部を保護するための機能と、液晶表示装置に保護フィルムを取り付けるための機能とを１つの部材により得ることができるので、ドラフティングテープなどを使用して保護フィルムを液晶表示装置に取り付ける場合と比較して、部品点数を削減することができる。
【００１８】
上記第２の局面による液晶表示装置の保護フィルムにおいて、好ましくは、切欠部は、液晶表示装置の額縁部の外形線より外側に所定の距離隔てた位置に設けられている。このように構成すれば、額縁部の隅部に対する切欠部の位置決め時の許容量を大きくすることができるので、保護フィルムを液晶表示装置に取り付ける際の作業性を向上させることができる。
【００１９】
上記第２の局面による液晶表示装置の保護フィルムにおいて、好ましくは、切欠部は、実質的にＬ字状に形成されている。このように構成すれば、保護フィルムを液晶表示装置に取り付ける際に、Ｌ字状の切欠部の２つの辺を額縁部の隅部の２つの辺に合わせながらより容易に取り付けることができる。これにより、保護フィルムを液晶モジュールに取り付ける際の作業性を向上させることができる。
【００２０】
上記第２の局面による液晶表示装置の保護フィルムにおいて、好ましくは、切欠部は、液晶表示装置の額縁部の四隅部に対応する位置に４つ形成されている。このように構成すれば、保護フィルムを液晶表示装置に取り付ける際に、保護フィルムの上下左右方向の位置を液晶表示装置に対する正規の取り付け位置に容易に合わせることができる。これにより、保護フィルムを液晶表示装置に取り付ける際の作業性を向上させることができる。
【発明を実施するための最良の形態】
【００２１】
以下、本発明の実施の形態を図面に基づいて説明する。
【００２２】
（第１実施形態）
図１は、本発明の第１実施形態による液晶モジュールの保護フィルムと液晶モジュールとを示した斜視図である。図２は、図１に示した本発明の第１実施形態による保護フィルムを液晶モジュールに取り付けた状態を示した斜視図である。図３は、図２の部分拡大図である。まず、図１〜図３を参照して本発明の第１実施形態による保護フィルム１０について説明する。
【００２３】
本発明の第１実施形態による保護フィルム１０は、図１および図２に示すように、液晶モジュール５０を完成品メーカに出荷する際、液晶表示部５１と液晶表示部５１の外周に沿って設けられる金属製の額縁部５２とを含む液晶モジュール５０の液晶表示部５１を保護するために取り付けられる。また、液晶モジュール５０の額縁部５２の側面には、図１および図３に示すように、複数のねじ／端子取付部５２ａが設けられている。また、保護フィルム１０は、液晶モジュール５０を部品工場から完成品メーカの組立工場に搬送する間だけ使用される。そして、保護フィルム１０は、液晶表示装置の組立工場内で液晶モジュール５０から取り外される。この保護フィルム１０は、ポリカーボネートなどの樹脂材料により形成されている。また、保護フィルム１０は、方形状の液晶モジュール５０と相
似形状であり、液晶モジュール５０よりも一回り大きく形成されている。すなわち、保護フィルム１０の外形線は、液晶モジュール５０の外形線よりも外側に位置する。
【００２４】
ここで、第１実施形態では、保護フィルム１０は、図２および図３に示すように、４つの取付部１１と、４つの張出部１２と、４つの切欠部１３とを含んでいる。取付部１１は、液晶モジュール５０の額縁部５２の４つの隅部近傍の額縁部５２に対向する部分に設けられているとともに、弱粘着性糊が印刷されている。この弱粘着性糊が印刷された取付部１１により、保護フィルム１０を液晶表示装置５０に対して貼り付けることが可能となる。また、取付部１１は、液晶モジュール５０の額縁部５２の上面の形状に沿うように、Ｌ字状に形成されている。また、張出部１２は、保護フィルム１０の液晶モジュール５０の外形線よりも外側に位置する部分のうち、保護フィルム１０の額縁部５２の４つの隅部近傍部分に対応する部分のことを示す。この張出部１２は、保護フィルム１０を液晶モジュール５０から取り外す際の取り外し代として機能する。また、切欠部１３は、額縁部５２の４つの隅部に対応する位置で、かつ、額縁部５２の４つの隅部の外形線より外側に所定の距離隔てた位置に設けられている。また、切欠部１３は、液晶モジュール５０の額縁部５２の４つの隅部に対して保護フィルム１０を位置決めするために設けられている。また、切欠部１３は、実質的にＬ字状に形成されている。この切欠部１３は、金型による加工により、保護フィルム１０を形成する際に同時に形成される。
【００２５】
第１実施形態では、上記のように、額縁部５２の外形線よりも外側に突出するように形成された取り外し時の取り外し代となる張出部１２を保護フィルム１０に設けることによって、液晶モジュール５０に取り付けられた保護フィルム１０を液晶モジュール５０から取り外す際に、張出部１２を把持して容易に保護フィルム１０を取り外すことができる。これにより、張出部１２がない場合と比較して、保護フィルム１０を液晶モジュール５０から取り外す際の作業性を向上させることができる。
【００２６】
また、第１実施形態では、張出部１２の額縁部５２の４つの隅部に対応する位置に額縁部５２の４つの隅部に対する位置決めとなるＬ字状の４つの切欠部１３を設けることによって、保護フィルム１０を液晶モジュール５０に取り付ける際に、Ｌ字状の４つの切欠部１３の２つの辺を額縁部５２の隅部の２つの辺に合わせながら、容易に保護フィルム１０を液晶モジュール５０に取り付けることができる。これにより、保護フィルム１０を液晶モジュール５０に取り付ける際の作業性を向上させることができる。
【００２７】
また、第１実施形態では、Ｌ字状の４つ切欠部１３を、額縁部５２の４つの隅部の外形線より外側に所定の距離隔てた位置に設けることによって、額縁部５２の４つの隅部に対する４つの切欠部１３の位置決め時の許容量を大きくすることができるので、保護フィルム１０を液晶モジュール５０に取り付ける際の作業性を向上させることができる。
【００２８】
また、第１実施形態では、４つの切欠部１３を、方形状の液晶モジュール５０の額縁部５２の４つの隅部に対応する位置に形成することによって、保護フィルム１０を液晶モジュール５０に取り付ける際に、保護フィルム１０の上下左右方向の位置を液晶モジュール５０に対する正規の取り付け位置に容易に合わせることができる。これによっても、保護フィルム１０を液晶モジュール５０に取り付ける際の作業性を向上させることができる。
【００２９】
また、第１実施形態では、Ｌ字状の４つの切欠部１３が設けられた保護フィルム１０の額縁部５２の隅部近傍に対向する部分に、弱粘着性糊が印刷された４つの取付部１１を設けることによって、ドラフティングテープなどを使用して保護フィルム１０を液晶モジュール５０に取り付ける場合と比較して、ドラフティングテープなどを切り取って保護フィルム１０に取り付ける作業がなくなる分、保護フィルム１０を液晶モジュール５０に取り付ける際の作業性を向上させることができる。
【００３０】
また、第１実施形態では、弱粘着性であるため、保護フィルム１０を液晶モジュール５０から取り外す際には、糊の粘着性成分が額縁部５２に残ることがないようにすることができる。
【００３１】
また、第１実施形態では、保護フィルム１０に、弱粘着性糊が付着された４つの取付部１１を設けることによって、液晶モジュール５０の液晶表示部５１を保護するための機能と、液晶モジュール５０に保護フィルム１０を取り付けるための機能とを１つの部材により得ることができるので、ドラフティングテープなどを使用して保護フィルム１０を液晶モジュール５０に取り付ける場合と比較して、部品点数を削減することができる。
【００３２】
（第２実施形態）
図４は、本発明の第２実施形態による液晶表示装置の保護フィルムと液晶表示装置とを示した斜視図である。図５は、図４に示した本発明の第２実施形態による保護フィルムを液晶表示装置に取り付けた状態を示した斜視図である。図６は、図５の部分拡大図である。図４〜図６を参照して、この第２実施形態では、上記第１実施形態と異なり、完成品である液晶表示装置の表示部を保護する場合について説明する。
【００３３】
すなわち、この第２実施形態の保護フィルム２０は、図４〜図６に示すように、液晶テレビジョン、パソコン、携帯電話、デジタルカメラなどの表示部を構成する液晶表示装置６０を保護するものである。なお、液晶表示装置６０は、方形状の液晶表示部６１と方形状の額縁部６２とを備えている。額縁部６２は、液晶表示装置６０の液晶表示部６１を囲むように形成された枠の部分であり、液晶表示部６１を囲む内側面が傾斜した形状に形成されている。また、保護フィルム２０は、液晶表示装置６０がユーザに納品される前に、傷つきやすい液晶表示装置６０の液晶表示部６１を保護するために液晶表示装置６０の液晶表示部６１を覆うように取り付けられている。この保護フィルム２０は、取付部２１と、張出部２２と、切欠部２３とを含んでいる。張出部２２および切欠部２３は、それぞれ、第１実施形態の保護フィルム１０の張出部１２および切欠部１３と同一の形状を有する。また、取付部２１は、Ｌ字状の４つの切欠部２３の内側で、かつ、額縁部６２の４つの隅部近傍に対向する部分に設けられている。この取付部２１には、弱粘着性糊が印刷されている。この弱粘着性糊が印刷された取付部２１により、保護フィルム２０を液晶表示装置６０に対して貼り付けることが可能となる。また、取付部２１は、２つの下部側取付部２１ａと２つの上部側取付部２１ｂとを有している。下部側取付部２１ａは、液晶表示装置６０の額縁部６２の下部側の２つの隅部に取り付けられる。また、上部側取付部２１ｂは、液晶表示装置６０の額縁部６２の上部側の２つの隅部に取り付けられる。下部側取付部２１ａおよび上部側取付部２１ｂは、上部側より下部側の方の表面積が大きい額縁部６２の形状に合わせて、上部側取付部２１ｂよりも下部側取付部２１ａの方が弱粘着性糊が印刷された部分の面積が大きくなるように形成されている。
【００３４】
第２実施形態では、上記のように、Ｌ字状の４つの切欠部２３が設けられた保護フィルム２０の額縁部６２の隅部近傍に対向する部分に、弱粘着性糊が印刷された２つの下部側取付部２１ａと２つの上部側取付部２１ｂとを設けることによって、ドラフティングテープなどを使用して保護フィルム２０を液晶表示装置６０に取り付ける場合と比較して、ドラフティングテープなどを切り取って保護フィルム２０に取り付ける作業がなくなる分、保護フィルム２０を液晶表示装置６０に取り付ける際の作業性を向上させることができるとともに、部品点数も削減することができる。
【００３５】
なお、第２実施形態のその他の効果は、上記した第１実施形態と同様である。
【００３６】
なお、今回開示された実施形態は、すべての点で例示であって制限的なものではないと
考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記第１実施形態および第２実施形態では、Ｌ字状の切欠部１３（切欠部２３）を設ける例を示したが、本発明はこれに限らず、直線状などのＬ字状以外の形状の切欠部を設けても、同様の効果を得ることができる。
【００３８】
また、上記第１実施形態および第２実施形態では、Ｌ字状の切欠部１３（切欠部２３）を額縁部５２（額縁部６２）の外形線より外側に所定の距離を隔てた位置に配置する例を示したが、本発明はこれに限らず、額縁部の外形線とほぼ一致するようにＬ字状の切欠部を設けるようにしてもよい。
【００３９】
また、上記第１実施形態および第２実施形態では、切欠部１３（切欠部２３）を額縁部５２（額縁部６２）の四隅に対応して４つ設けるようにしたが、本発明はこれに限らず、少なくとも２つ設ければ、位置決めは可能である。
【００４０】
また、上記第１実施形態および第２実施形態では、保護フィルム１０および保護フィルム２０を方形状に形成したが、本発明はこれに限らず、保護フィルムを六角形その他の形状に形成してもよい。
【図面の簡単な説明】
【００４１】
【図１】本発明の第１実施形態による液晶モジュールの保護フィルムと液晶モジュールとを示した斜視図である。
【図２】図１に示した本発明の第１実施形態による保護フィルムを液晶モジュールに取り付けた状態を示した斜視図である。
【図３】図２の部分拡大図である。
【図４】本発明の第２実施形態による液晶表示装置の保護フィルムと液晶表示装置とを示した斜視図である。
【図５】図４に示した本発明の第２実施形態による保護フィルムを液晶表示装置に取り付けた状態を示した斜視図である。
【図６】図５の部分拡大図である。
【図７】従来の一例による液晶モジュールの保護フィルムと液晶モジュールとを示した斜視図である。
【図８】図７に示した従来の一例による保護フィルムを液晶モジュールに取り付けた状態を示した斜視図である。
【図９】図８の部分拡大図である。
【符号の説明】
【００４２】
１０  保護フィルム
１１  取付部
１２  張出部
１３  切欠部
５０  液晶モジュール
５１  液晶表示部
５２  額縁部
【図１】
2005062689.tif 000003
【図２】
2005062689.tif 000004
【図３】
2005062689.tif 000005
【図４】
2005062689.tif 000006
【図５】
2005062689.tif 000007
【図６】
2005062689.tif 000008
【図７】
2005062689.tif 000009
【図８】
2005062689.tif 000010
【図９】
2005062689.tif 000011